(57)【特許請求の範囲】
【請求項１】
底部から４面の壁部が起立してなる浴槽本体と、該浴槽本体の一の壁部に上端から略底部側まで形成した出入り用開口部と、手元操作スイッチと遠隔スイッチにより開閉操作可能な電動式に構成し、前記一の壁部に横方向にスライド可能に設けられて、前記出入り用開口部を液密に閉塞する横引き扉と、前記出入り用開口部を形成した前記一の壁部の開口下面に設けた下部止水材及び車輪落込み凹部と、前記横引き扉の下面に設けた下部可動止水材と、前記横引き扉の下面に軸支した走行輪と、前記横引き扉の先端に設けた扉先端止水材と、前記出入り用開口部の前記横引き扉と衝合する側面に設けた扉受け止水材と、前記横引き扉の側面に設けた側面可動止水材と、該側面可動止水材と衝合するように前記一の壁部に設けた側面固定止水材とから構成してなり、前記出入り用開口部の閉扉のために前記横引き扉を横方向に前進させると、前記走行輪が前記車輪落込み凹部に転入し、下部止水材と下部可動止水材、扉先端止水材と扉受け止水材、側面可動止水材と側面固定止水材とが夫々自動的に圧接することで出入り用開口部と横引き扉との間を液密に閉塞すると共に、該横引き扉を前記浴槽本体に自動的にロックするようにしてなる介護用浴槽。
【請求項２】
前記扉先端止水材及び前記扉受け止水材とが互いに嵌合するように、また、前記側面可動止水材及び前記側面固定止水材が互いに嵌合するように、扉先端止水材、扉受け止水材、側面可動止水材及び側面固定止水材は波型に形成してあることを特徴とする請求項１記載の介護用浴槽。
【請求項３】
前記出入り用開口部の口縁と前記横引き扉には、その何れか一方に磁性体を設け、他方に該磁性体と磁着する磁着片を設けたことを特徴とする請求項１又は２記載の介護用浴槽。
【請求項４】
前記浴槽本体には、入浴者の首から肩にかけて温水を噴射するシャワー装置を設けてあることを特徴とする請求項１乃至
３のいずれかに記載の介護用浴槽。
【発明の詳細な説明】
【技術分野】
【０００１】
本発明は、被介護者が車椅子に乗った状態で入浴することができるし、高齢者や足の不自由な人も浴槽の壁部を跨ぐことなく安全かつ楽に入浴することができ、また介助者にも作業が楽な介護用浴槽に関する。
【背景技術】
【０００２】
被介護者や高齢者にとって入浴は楽しみであるが、浴槽はお湯を貯める必要から壁部が必須の構成になっており、この壁部があるために被介護者や高齢者が安全に、無理なく入浴することは困難というよりも不可能である。このため、例えば、車椅子を必要とする被介護者が入浴する場合は、浴槽の近傍に設置し、ハンモック状の吊り上げ具で被介護者を車椅子から吊り上げて入浴させるリフト式入浴装置が提案されている（特許文献１）。
【０００３】
また、車椅子や高齢者が出入りし易いように浴槽の壁部に開口部を設け、開口部をドア式扉で開閉するようにした被介護者用浴槽が提案されている。更に、高齢者のためには洗い場に対して浴槽を低く設置し、浴槽内に出入り用の踏み台を設けることにより浴槽への出入りを楽にした高齢者用浴槽も提案されている。
【特許文献１】特開平１１−２８２３８号公報
【発明の開示】
【発明が解決しようとする課題】
【０００４】
しかし、上述したリフト式入浴装置は、浴槽周りにある程度の広さがなければ設置できないという欠点、複数の介助者が必要であるという欠点、被介護者は吊り上げられることから不安感を感じるという欠点、入浴のための準備に手間と時間が掛るという欠点、装置に相応の費用が掛るという欠点がある。また、ドア式扉を設けた浴槽は、外開き及び内開きのいずれの方式でも、扉が動く範囲を空けておかなければならないため、浴槽に円滑に出入りできないという欠点がある。
【０００５】
本発明は上述した従来技術の諸欠点に鑑みなされたもので、車椅子に乗った状態で被介護者には安全に、介助者には負担を少なく入浴作業をさせることができるし、高齢者や足の不自由な人も楽に、安全に入浴することができる介護用浴槽を提供することを目的とする。
【課題を解決するための手段】
【０００６】
上述した課題を解決するために構成された本発明の手段は、底部から４面の壁部が起立してなる浴槽本体と、該浴槽本体の一の壁部に上端から略底部側まで形成した出入り用開口部と、手元操作スイッチと遠隔スイッチにより開閉操作可能な電動式に構成し、前記一の壁部に横方向にスライド可能に設けられて、前記出入り用開口部を液密に閉塞する横引き扉と、前記出入り用開口部を形成した前記一の壁部の開口下面に設けた下部止水材及び車輪落込み凹部と、前記横引き扉の下面に設けた下部可動止水材と、前記横引き扉の下面に軸支した走行輪と、前記横引き扉の先端に設けた扉先端止水材と、前記出入り用開口部の前記横引き扉と衝合する側面に設けた扉受け止水材と、前記横引き扉の側面に設けた側面可動止水材と、該側面可動止水材と衝合するように前記一の壁部に設けた側面固定止水材とから構成してなり、前記出入り用開口部の閉扉のために前記横引き扉を横方向に前進させると、前記走行輪が前記車輪落込み凹部に転入し、下部止水材と下部可動止水材、扉先端止水材と扉受け止水材、側面可動止水材と側面固定止水材とが夫々自動的に圧接することで出入り用開口部と横引き扉との間を液密に閉塞すると共に、該横引き扉を前記浴槽本体に自動的にロックするようにしたことにある。
【０００７】
そして、前記扉先端止水材及び前記扉受け止水材とが互いに嵌合するように、また、前記側面可動止水材及び前記側面固定止水材が互いに嵌合するように、扉先端止水材、扉受け止水材、側面可動止水材及び側面固定止水材は波型に形成してあるとよい。
【０００８】
また、前記出入り用開口部の口縁と前記横引き扉には、その何れか一方に磁性体を設け、他方に該磁性体と磁着する磁着片を設けるとよい。
【０００９】
更に、前記浴槽本体には、入浴者の首から肩にかけて温水を噴射するシャワー装置を設けるとよい。
【発明の効果】
【００１０】
本発明は上述の如く構成したから、下記の諸効果を奏する。
（１）浴槽本体の壁部に出入り用開口部を設けたから、車椅子に乗った状態で入浴できるし、高齢者や下肢の不自由な人でも歩行する感覚で入浴することが可能であり、快適であるし安全性に優れている。
（２）出入り用開口部は横引き扉で開閉する構成にしたから、ドア式扉と異なって開閉のためのスペースが不要であり、浴室を大型にする必要がないし、入浴する人も円滑に出入りすることができる。
（３）横引き扉は電動式に構成し、遠隔操作スイッチと手元操作スイッチにより作動可能にしたから、１人の介助者で横引き扉を開閉して入浴作業を行うことができる。
（４）出入り用開口部の開口下面に下部止水材を設け、横引き扉の下面に下部可動止水材を設け、また、出入り用開口部の側面に扉受け止水材を設け、横引き扉には扉先端止水材を設け、さらに、横引き扉の側面に側面可動止水材を設け、壁部に側面固定止水材を設け、横引き扉の閉扉時には、底側の車輪落込み凹部に走行輪が落込むことで、下部止水材と下部可動止水材、扉受け止水材と扉先端止水材、側面可動止水材と側面固定止水材の各対の止水材が自動的に圧接するようにしたから、液密性が高く入浴中のお湯の漏洩を確実に防止することができる。
（５）横引き扉は、閉扉時には浴槽本体の床側に車輪が落込む構成にして自動的にロックされた状態になるから、横引き扉がロック忘れのために突然開くといった危険性が皆無である。
（６）扉先端止水材及び扉受け止水材が互いに嵌合するように、また、側面可動止水材及び側面固定止水材が互いに嵌合するように、扉先端止水材、扉受け止水材、側面可動止水材及び側面固定止水材は波型に形成したから、止水性が高まり、入浴中のお湯の漏洩をより確実に防ぐことができる。
（７）浴槽本体と横引き扉は止水材だけでなく、磁性体により互いに磁着させて止水するようにしたから、使用者はお湯の漏洩を心配することなく安心して入浴することができる。
（８）浴槽本体には広くお湯を噴射するシャワー装置を設けたから、車椅子使用のために首まで湯に浸かることの出来ない被介護者の首から肩にお湯を掛けて暖めることができる。
【発明を実施するための最良の形態】
【００１１】
以下、本発明の実施の形態を図面に基づき詳述する。図１乃至図３おいて、１は浴槽本体を示す。該浴槽本体１は平面略長方形の底部１Ａと、該底部１Ａの外縁から起立する４面の前壁部１Ｂ、後壁部１Ｃ、左右の横壁部１Ｄ、１Ｅとからなり、基本構成は従来の浴槽と同様になっている。そして、横壁部１Ｄの上面には混合水栓２、底部１Ａの片隅には排水口３、他側角隅の上部側には溢流口４が設けてあり、後壁部１Ｃの上面には安全バー５が設けてある。
【００１２】
６は前記前壁部１Ｂに設けた出入り用開口部を示す。該出入り用開口部６は車椅子が出入り可能な横幅で、前壁部１Ｂの上端から底部１Ａにかけて略凵状に形成してある。そして、一側の開口側面６Ａに臨んで前壁部１Ｂには後述する横引き扉１４を格納する横長コ字状の扉収納部７が凹設してあり、上面はカバー７Ａによって閉塞するようにしてある。また、一側の開口側面６Ａに対向する他側の開口側面６Ｂに臨んで前壁部１Ｂにはコ字状の扉先端嵌入部８が凹設してあり、上面はカバー８Ａによって閉塞するようにしてある。
【００１３】
図３及び図６において、９、９は前記扉収納部７を形成する内面７Ｂ、７Ｂの先端側に貼着した一対の一側固定パッキンで、該各一側固定パッキン９は当接面を凹Ｖ字面に形成してある。１０、１０は前記扉先端嵌入部８を形成する内面８Ｂ、８Ｂに貼着した一対の他側固定パッキン、１１は扉先端嵌入部８の奥面８Ｃに貼着した扉受けパッキンで、該扉受けパッキン１１は当接面を波型に形成してある。更に、１２は出入り用開口部６の開口下面６Ｃから扉収納部７内の下面にかけて設けた床側ゴムマットで、該床側ゴムマット１２には扉収納部７の開口寄りの位置と、扉先端嵌入部８に位置して２個一対の車輪落込み凹部１３、１３、１３、１３が前後に形成してある(図３、図６参照)。
【００１４】
図４及び図５において、１４は出入り用開口部６を開閉可能に閉塞する横引き扉を示す。該横引き扉１４は、出入り用開口部６の横幅より横長に形成した一対の側板１４Ａ、１４Ａ、前板１４Ｂ、幅広のパッキン支持板１４Ｃ、後板１４Ｄ、天板１４Ｅ及び底板１４Ｆとから扁平箱状に構成し、内部には複数の補強板１４Ｇが離間して設けてある。また、図６において、１５、１５は前記パッキン支持板１４Ｃの張出し面に貼着した側面可動パッキンで、該各側面可動パッキン１５は当接面を凸Ｖ字面に形成したものからなり、閉扉時に一側固定パッキン９の凹Ｖ字面と嵌合させることにより止水性を確実にしてある。
【００１５】
１６は横引き扉１４の前板１４Ｂに貼着した先端パッキンで、該先端パッキン１６は扉受けパッキン１１と嵌合するように波型に形成して止水性を高めてある。また、１７は前記底板１４Ｆの下面に貼着した扉側ゴムマットで、該扉側ゴムマット１７は床側ゴムマット１２と衝合することにより、水の漏洩を防止するものである。更に、一側固定パッキン９と側面可動パッキン１５、また扉受けパッキン１１と先端パッキン１６には互いに磁着する磁石片が内設（図示せず）してあり、閉扉時にはこれら磁石片が磁着することによってパッキン９と１５同士、１１と１６同士がより強固に密着して止水するようにしてある。なお、上記のように磁石片を埋設する方法の他に、各パッキンを磁性ゴム材で形成しても良い。
【００１６】
１８、１８は横引き扉１４の底板１４Ｆに軸支した前車輪、１９、１９は該底板１４Ｆに軸支した後車輪で、該各前車輪１８及び後車輪１９は各駆動軸に夫々設けた可逆型の駆動モータ２０、２０によって駆動することにより、横引き扉１４は進退するようになっている。
【００１７】
２１は横引き扉１４を開閉動作するために該扉１４内に設置した制御盤で、該制御盤２１には横引き扉１４の後板１４Ｄに設けられ、浴槽本体１の後壁部１Ｅ接離する開扉検知センサ２２、扉先端嵌入部８内で扉受けパッキン１１に埋設した閉扉検知センサ２３、浴槽本体１の前壁部１Ｂの上面に設けてカバー８Ａで覆った手元操作スイッチ２４が電気的に接続してある。また、該制御盤２１は遠隔操作スイッチ２５によっても操作可能にしてある。
【００１８】
そして、制御盤２１は、手元操作スイッチ２４や遠隔操作スイッチ２５から送られる閉扉信号或いは開扉信号より駆動モータ２０、２０を始動して横引き扉１４を前進或いは後退させて出入り用開口部６を開閉し、開扉検知センサ２２及び閉扉検知センサ２３からの信号により両駆動モータ２０を停止するように構成してある。又、横引き扉１４が確実に閉扉し、或いは開扉したら制御盤２１は、警報音を発し、ランプが点灯（消灯）するようにしてある。このように横引き扉１４は電動式に構成し、手元操作スイッチ２４と遠隔操作スイッチ２５によって作動するようにしてあるから、介助者は作業を楽に行うことができる。なお、開扉検知センサ２２は横引き扉１４に設けたが、扉収納部７内に位置して浴槽本体１に設けてもよい。
【００１９】
更に、２６は浴槽本体１の一の横壁部１Ｄ上面に設けたシャワー装置を示す。車椅子に乗って入浴した人は、浴槽本体１内では胸あたりまでしか湯に浸かることが出来ず、肩から上は湯面から露出しているために寒い思いをするという問題がある。この問題を解消するために設置したシャワー装置２６である。シャワー装置２６の特徴は、入浴した人の首から肩にかけて広く温水を掛けることができるように、高さ方向に伸縮自在な給湯管２６Ａに複数個、本実施の形態では３個のシャワーヘッド２６Ｂ、２６Ｂ、２６Ｂを横設したことにある。なお、温水シャワー装置２６の温水供給管、水供給管、開閉弁、操作ノブなどの基本構成は公知の温水シャワー装置と実質的に同じであるから、その詳細は省略する。
【００２０】
本実施の形態に係る介護用浴槽は上述の構成からなるが、次にその作動について説明する。先ず、浴槽本体１内に開放状態にある出入り用開口部６から被介護者は車椅子で乗り入れ、介助者は手元或いは遠隔操作スイッチ２４（２５）により横引き扉１４を前進させ、４個の前、後車輪１８、１９を車輪落込み凹部１３、１３、・・に確実に嵌合させる。これにより横引き扉１４は浴槽本体１の底部１Ａ側に若干落下した状態になり、床側ゴムマット１２に扉側ゴムマット１７が密着して出入り用開口部６の開口下面６Ｃ側からお湯が漏洩する事態を防止している。
【００２１】
また、閉扉検知センサ２３からの信号によって横引き扉１４が確実に閉じた状態にあることを音声、ランプなどで確認することができる。また、一側固定パッキン９と側面可動パッキン１５、扉受けパッキン１１と先端パッキン１６は互いに嵌合し、磁石片の磁力によって密接するので、出入り用開口部６の両開口側縁６Ａ、６Ｂからお湯が漏洩するのを確実に防止している。入浴が終了したら、介助者は排水口３からお湯を抜き、手元或いは遠隔の操作スイッチ２４（２５）により横引き扉１４を後退させて出入り用開口部６を開扉する。横引き扉１４が完全に後退したかは、開扉検知センサ２２からの信号による警報音、ランプなどにより確認することができる。
【００２２】
上記した入浴のための作動は、高齢者や身体に障害がある人が入浴する場合も基本的に異なるところはない。
【００２３】
なお、本実施の形態では浴槽本体１に1個の混合水栓２を設けたが、入浴時には早急にお湯を満たす必要があるから、混合水栓２の給湯能力を勘案して複数個の混合水栓２、２、・・を設ける構成にしてもよい。
【図面の簡単な説明】
【００２４】
【図１】本発明の実施の形態に係る介護用浴槽の外観斜視図である。
【図２】介護用浴槽の平面図である。
【図３】介護用浴槽の分解構成説明図である。
【図４】横引き扉の構成説明図である。
【図５】横引き扉の内部構成を示す平面図である。
【図６】出入り用開口部と横引き扉の説明図である。
【符号の説明】
【００２５】
１        浴槽本体
６        出入り用開口部
１０      側面固定パッキン
１１      扉受けパッキン
１２      床側ゴムマット（下部止水材）
１４      横引き扉
１５      側面可動パッキン
１６      先端パッキン
１７      扉側ゴムマット（下部可動止水材）
１８、１９    車輪
２４      手元操作スイッチ
２５      遠隔操作スイッチ
２６      シャワー装置
【要約】
【課題】車椅子に乗った状態で被介護者は安全に、介助者には少ない負担で入浴作業ができるし、高齢者や身体に障害がある人も楽に、安全に入浴することができる介護用浴槽を提供する。
【解決手段】浴槽本体１の壁部１Ｂに設けた出入り用開口部６は、横引き扉１４で開閉し、固定パッキン１５と側面可動パッキン１０で止水する。出入り用開口部６の下面６Ｃに床側ゴムマット１２と車輪落込み凹部１３を設け、横引き扉１４の下面に扉側ゴムマットを設け、走行輪が軸支してある。閉扉時に走行輪が車輪落込み凹部１３に転入し、開口６と横引き扉１４との間はゴムマット１２で液密に閉塞し、横引き扉１４は浴槽本体１にロックされる。横引き扉１４は手元操作と遠隔操作スイッチ２４、２５で開閉操作する。
【選択図】図３【図１】
0004150062.tif 000002
【図２】
0004150062.tif 000003
【図３】
0004150062.tif 000004
【図４】
0004150062.tif 000005
【図５】
0004150062.tif 000006
【図６】
0004150062.tif 000007